(57)【特許請求の範囲】
【請求項１】
複数の第１モールド部と複数の第２モールド部を含み、各第１モールド部と各第２モールド部は交互に配置され、第１モールド部は第２モールド部より外側方向にオフセットされているパネルガイドモールドと、
複数の第１側壁と複数の第２側壁を含み、各第１側壁と各第２側壁は交互に配置され、各第１側壁は前記複数の第１モールド部の対応する１つに挿入されて結合され、各第２側壁は前記複数の第２モールド部の対応する１つを収容して結合されるボトムカバーと、
前記パネルガイドモールドと前記ボトムカバーの間に配置された光供給部と、を含み、
前記パネルガイドモールドと前記ボトムカバーとは、階段形状またはジグザグ形状の交互構造を形成するように結合され、前記第１モールド部が第１方向に突出した領域に前記第１側壁が凹むように形成され、前記第２側壁が第１方向に突出した領域に前記第２モールド部が凹むように形成されたバックライトユニット。
【請求項２】
前記複数の第１側壁中の少なくとも１つは突出部を含み、前記突出部を含む第１側壁に対応する前記第１モールド部は開口部を含み、前記パネルガイドモールドと前記ボトムカバーが結合されるときに前記突出部は前記対応する開口部を通過する請求項１に記載のバックライトユニット。
【請求項３】
前記突出部は前記開口部を通過してフック状に結合されて、前記パネルガイドモールドと前記ボトムカバーを固定する請求項２に記載のバックライトユニット。
【請求項４】
前記複数の第２側壁は前記複数の第１側壁より外側方向にオフセットされて交互に配置される請求項１ないし３のいずれか一項に記載のバックライトユニット。
【請求項５】
前記複数の第１モールド部と前記複数の第２モールド部は一体に形成され、前記複数の第１側壁と前記複数の第２側壁は一体に形成される請求項１ないし４のいずれか一項に記載のバックライトユニット。
【請求項６】
前記複数の第２側壁のそれぞれは前記複数の第１側壁のそれぞれより外側方向に突出されて配置される請求項１ないし５のいずれか一項に記載のバックライトユニット。
【請求項７】
前記複数の第２側壁のそれぞれが外側方向に突出されることで前記複数の第２側壁のそれぞれに内側空間が形成され、前記パネルガイドモールドと前記ボトムカバーが結合される時、前記それぞれの第２側壁に対応する前記第２モールド部は、前記対応する第２側壁によって形成された内側空間に挿入される請求項１ないし６のいずれか一項に記載のバックライトユニット。
【請求項８】
トップケースを更に含む請求項１ないし７のいずれか一項に記載のバックライトユニット。
【請求項９】
複数の第１モールド部と複数の第２モールド部を含み、各第１モールド部と各第２モールド部は交互に配置され、第１モールド部は第２モールド部より外側方向にオフセットされているパネルガイドモールドと、
複数の第１側壁と複数の第２側壁を含み、各第１側壁と各第２側壁は交互に配置され、第１側壁は前記複数の第１モールド部の対応する１つに挿入されて結合され、各第２側壁は前記複数の第２モールド部の対応する１つを収容して結合されるボトムカバーと、
前記パネルガイドモールドと前記ボトムカバーの間に配置された光供給部と、を含むバックライトユニットと、
前記バックライトユニットの前記パネルガイドモールドの上に配置された映像表示パネルと、
前記映像表示パネルと前記バックライトユニットを固定する固定部と、を含み、
前記パネルガイドモールドと前記ボトムカバーとは、階段形状またはジグザグ形状の交互構造を形成するように結合され、前記第１モールド部が第１方向に突出した領域に前記第１側壁が凹むように形成され、前記第２側壁が第１方向に突出した領域に前記第２モールド部が凹むように形成された映像表示装置。
【請求項１０】
前記複数の第１側壁中の少なくとも１つは突出部を含み、前記突出部を含む第１側壁に対応する前記第１モールド部は開口部を含み、前記パネルガイドモールドと前記ボトムカバーが結合されるときに前記突出部は前記対応する開口部を通過する請求項９に記載の映像表示装置。
【請求項１１】
前記突出部は前記開口部を通過してフック状に結合されて、前記パネルガイドモールドと前記ボトムカバーを固定する請求項１０に記載の映像表示装置。
【請求項１２】
前記複数の第２側壁は前記複数の第１側壁より外側方向にオフセットされて交互に配置される請求項９ないし１１のいずれか一項に記載の映像表示装置。
【請求項１３】
前記複数の第１モールド部と前記複数の第２モールド部は一体に形成され、前記複数の第１側壁と前記複数の第２側壁は一体に形成される請求項９ないし１２のいずれか一項に記載の映像表示装置。
【請求項１４】
前記複数の第２側壁のそれぞれは前記複数の第１側壁のそれぞれより外側方向に突出されて配置される請求項９ないし１３のいずれか一項に記載の映像表示装置。
【請求項１５】
前記複数の第２側壁のそれぞれが外側方向に突出されることで前記複数の第２側壁のそれぞれに内側空間が形成され、前記パネルガイドモールドと前記ボトムカバーが結合される時、前記それぞれの第２側壁に対応する前記第２モールド部は、前記対応する第２側壁によって形成された内側空間に挿入される請求項９ないし１４のいずれか一項に記載の映像表示装置。
【請求項１６】
トップケースを更に含む請求項９ないし１５のいずれか一項に記載の映像表示装置。
【請求項１７】
前記固定部は前記映像表示パネルの端部と接触され、結合手段を介在して少なくとも１つの前記第１モールド部と結合される請求項９ないし１６のいずれか一項に記載の映像表示装置。
【請求項１８】
複数の第１モールド部と複数の第２モールド部を含み、各第１モールド部と各第２モールド部は交互に配置され、第１モールド部は第２モールド部より外側方向に突出されているパネルガイドモールドと、
複数の第１側壁と複数の第２側壁を含み、各第１側壁と各第２側壁は交互に配置され、各第２側壁は各第１側壁より外側に突出され、前記複数の第１側壁のそれぞれは前記複数の第１モールド部の対応する１つに挿入されて整列され、前記複数の第２側壁のそれぞれは前記複数の第２モールド部の対応する１つを収容して整列されて結合されるボトムカバーと、
前記パネルガイドモールドと前記ボトムカバーの間に配置された光供給部と、を含み、
前記パネルガイドモールドと前記ボトムカバーとは、階段形状またはジグザグ形状の交互構造を形成するように結合され、前記第１モールド部が第１方向に突出した領域に前記第１側壁が凹むように形成され、前記第２側壁が第１方向に突出した領域に前記第２モールド部が凹むように形成されたバックライトユニット。
【請求項１９】
前記複数の第１側壁中の少なくとも１つは突出部を含み、前記突出部を含む第１側壁に対応する前記第１モールド部は開口部を含み、前記第１側壁のそれぞれに連結された前記突出部は前記対応する第１モールド部に連結された前記開口部を通過し、前記第１側壁のそれぞれと前記第１側壁のそれぞれに対応する前記第１モールド部が相互結合される請求項１８に記載のバックライトユニット。
【請求項２０】
前記複数の第２側壁のそれぞれが外側方向に突出されることで前記複数の第２側壁のそれぞれに内側空間が形成され、前記複数の第２側壁のそれぞれに対応する前記第２モールド部が前記内側空間に挿入され、前記複数の第２側壁のそれぞれが前記対応する第２モールド部に結合される請求項１８または１９に記載のバックライトユニット。
【発明の詳細な説明】
【技術分野】
【０００１】
本発明はバックライトユニット及びこれを含む映像表示装置に関するものである。
【背景技術】
【０００２】
液晶表示装置は映像を表示する液晶パネルと、液晶パネルの後面に設置されて液晶パネルに光を供給するバックライトユニットを含む。バックライトユニットは、光原としてランプ又は発光ダイオード（ＬＥＤ）を含むことができる。
【０００３】
バックライトユニットはボトムカバー（bottom cover）、パネルガイドモールド、トップケースからなる構造物を含む。ボトムカバーは光原と光学シート及び光学補助機構物を組み立てるベース機構物として、平坦度と剛性を提供できる構造から形成される必要がある。パネルガイドモールドは液晶パネルをガイドし、光学シートの抜落防止及び輝度ムラの部位を覆う働きをする。パネルガイドモールドは、大型液晶パネルが適用された映像表示装置においては螺合方式によりボトムカバーと結合される。ボトムカバーとパネルガイドモールドの間の螺合のためには、ベゼル（bezel）の幅が少なくとも１mm程度は必要である。トップケースはパネルガイドモールドによってガイドされる液晶パネルを固定させるとともに、パネルガイドモールド又はボトムカバーと結合される。
【０００４】
一方、液晶表示装置のマーケットにおいて消費者からは、より薄型の液晶表示装置と、またより幅が細いベゼルの提供を求められている。しかし、幅が細いベゼルは安全性を確保するための構造的剛性を提供することができない。
【発明の概要】
【発明が解決しようとする課題】
【０００５】
本発明は構造的剛性が確保された幅が細いベゼルを具現できるバックライトユニット及びこれを含む映像表示装置を提供することを目的とする。
【課題を解決するための手段】
【０００６】
本発明のバックライトユニットは、複数の第１モールド部と複数の第２モールド部を含み、各第１モールド部と各第２モールド部は交互に配置され、第１モールド部は第２モールド部より外側方向にオフセットされているパネルガイドモールドと；複数の第１側壁と複数の第２側壁を含み、各第１側壁と各第２側壁は交互に配置され、各第１側壁は前記複数の第１モールド部の対応する１つに結合され、第２側壁は前記複数の第２モールド部の対応する１つに結合されるボトムカバーと；前記パネルガイドモールドと前記ボトムカバーの間に配置された光供給部と；を含む。
【０００７】
本発明の映像表示装置は、複数の第１モールド部と複数の第２モールド部を含み、各第１モールド部と各第２モールド部は交互に配置され、第１モールド部は第２モールド部より外側方向にオフセットされているパネルガイドモールドと、複数の第１側壁と複数の第２側壁を含み、各第１側壁と各第２側壁は交互に配置され、各第１側壁は前記複数の第１モールド部の対応する１つに結合され、各第２側壁は前記複数の第２モールド部の対応する１つに結合されるボトムカバーと、前記パネルガイドモールドと前記ボトムカバーの間に配置された光供給部と、を含むバックライトユニットと；前記バックライトユニットの前記パネルガイドモールドの上に配置された映像表示パネルと；前記映像表示パネルと前記バックライトユニットを固定する固定部と；を含む。
【０００８】
本発明のバックライトユニットは、複数の第１モールド部と複数の第２モールド部を含み、各第１モールド部と各第２モールド部は交互に配置され、第１モールド部は第２モールド部より外側方向に突出されているパネルガイドモールドと；複数の第１側壁と複数の第２側壁を含み、各第１側壁と各第２側壁は交互に配置され、各第２側壁は各第１側壁より外側に突出され、前記複数の第１側壁のそれぞれは前記複数の第１モールド部の対応する１つに整列され、前記複数の第２側壁のそれぞれは前記複数の第２モールド部の対応する１つに整列されて結合されるボトムカバーと；前記パネルガイドモールドと前記ボトムカバーの間に配置された光供給部と；を含む。
【発明の効果】
【０００９】
本発明によれば、構造的に剛性が確保された幅が細いベゼルのバックライトユニット及び映像表示装置を具現することができる。
【００１０】
本発明によれば、幅が７mmのベゼルを具現しながらも構造的剛性を向上させることで、狭い空間において機構の剛性と安全性を確保することができる。
【図面の簡単な説明】
【００１１】
【図１】本発明の実施例によるバックライトユニットの部分斜視図。
【図２】本発明の実施例によるバックライトユニットの部分分解斜視図。
【図３】図１のＡ-Ａ’線上の断面図。
【図４】図１のＢ-Ｂ’線上の断面図。
【図５】図１ないし図４のバックライトユニットを含むディスプレイ装置の断面図。
【図６】図５のディスプレイ装置の結合例を示す斜視図。
【符号の説明】
【００１２】
１０  パネルガイドモールド
１１  第１モールド部
１３  第２モールド部
１５  溝
１７  ネジホール
２０  ボトムカバー
２１  第１側壁
２３  第２側壁
２５  突出部
３０  光供給部
４０  映像表示パネル
５０  固定部
６０  ネジ
【発明を実施するための形態】
【００１３】
本発明による実施例の説明において、各層（膜）、領域、パターン又は構造物が基板、各層（膜）、領域、パッド又はパターンの“上”に又は“下”に形成されると記載される場合、“上”と“下”は直接又は他の層を介在して形成されることを皆含む。また、各層の“上”又は“下”の基準は図面を基準として説明する。
【００１４】
図面において、各層の厚さや大きさは、説明の便宜及び明確性を図り、誇張、省略又は概略的に図示されている。また、各構成要素の大きさは実際の大きさを全面的に反映するものではない。
【００１５】
図１ないし図６を参照しながら実施例を説明する。
【００１６】
図１ないし図２に示すように、本発明のバックライトユニットはパネルガイドモールド１０、ボトムカバー２０、光供給部３０を含む。図１に示すように、前記パネルガイドモールド１０は複数の第１モールド部１１と複数の第２モールド部１３を含む。前記複数の第１モールド部１１の少なくとも1つには溝１５または開口部が形成され、また前記複数の第１モールド部１１の少なくとも1つにはネジホール１７が形成される。前記ネジホール１７については後で詳述される。
【００１７】
図２に示すように、前記ボトムカバー２０は複数の第１側壁２１と複数の第２側壁２３を含む。前記第１側壁２１のそれぞれは通常前記第１モールド部１１に対応して形成される。前記複数の第１側壁２１の少なくとも1つには前記溝１５に対応する位置に突出部２５が形成される。同様に、前記第２側壁２３のそれぞれは通常前記第２モールド部１３に対応して整列される、すなわち位置合わせされる。前記第２側壁２３は外側方向に延長されて後方に空間(即ち、内側空間)が形成され、前記内側空間には前記第２モールド部１３またはその一部が収納される。
【００１８】
図３及び図４に示すように、前記光供給部３０は前記パネルガイドモールド１０と前記ボトムカバー２０の間に配置される。前記光供給部３０は光原、光学シート、導光板、反射板などを含む光学系構成要素の中から必要に応じて選択的に含むことができる。前記光原としてランプ又は発光ダイオードを適用することができる。前記光供給部３０はエッジライト方式、または直下型方式にすることができる。
【００１９】
図１に示すように、前記複数の第１モールド部１１は相互離隔されて配置され、前記複数の第２モールド部１３は前記連続する２つの第１モールド部１１の間に配置されて連結される。図２により詳しく示すように、前記第１モールド部１１及び第２モールド部１３は相互にオフセットするように配置されて、階段構造またはジグザグ構造の交互する構造をなす。図１及び図２に例示的に示すように、前記複数の第１モールド部１１はオフセットするように配置され、即ち前記第２モールド部１３より外側方向に突出されて配置される。また、前記第１モールド部１１と前記第２モールド部１３を含む前記パネルガイドモールド１０は一体に形成される。このように、階段形状またはジグザグ形状に一体化された前記パネルガイドモールド１０は、狭い幅のベゼルを有しながらも、剛性と構造的安全性を提供できることになる。
【００２０】
図２に示すように、前記ボトムカバー２０は前記複数の第１側壁２１が相互離隔されて配置され、前記複数の第２側壁２３が前記連続する２つの第１側壁２１の間に配置されて連結されるように構成される。前記複数の第１モールド部１１及び前記複数の第２モールド部１３と同様に、前記複数の第１側壁２１と前記複数の第２側壁２３は階段形状またはジグザグな構造に形成することができる。また前記ボトムカバー２０は前記パネルガイドモールド１０と同様に一体に形成される。このように、一体に構成されて階段形状またはジグザグ構造の前記ボトムカバー２０は、狭い幅のベゼルを有しながらも、優れる剛性と構造的安全性を提供できる。
【００２１】
図３及び図４に示すように、本発明のバックライトユニットが結合（又は「係合」ともいう。以下同じ。）される場合、前記ボトムカバー２０の少なくとも１つの第１側壁２１が前記パネルガイドモールド１０の対応する第１モールド部１１に結合される。また、前記ボトムカバー２０の少なくとも１つの第２側壁２３が前記パネルガイドモールド１０の対応する第２モールド部１３に結合される。上述のように、前記パネルガイドモールド１０の前記第１モールド部１１及び第２モールド部１３は階段形状またはジグザグ構造をなす。前記ボトムカバー２０の前記第１側壁２１と前記第２側壁２３も同様に階段形状またはジグザグ構造をなす。しかし、図２に示すように、前記パネルガイドモールド１０と前記ボトムカバー２０の階段形状またはジグザグ形状の交互構造は相互オフセットまたはシフトする。よって、前記第１モールド部１１は突出されるように形成され、前記第１側壁２１は凹むように形成される。前記第２側壁２３が突出される場合、前記第２モールド部１３は凹むように形成される。これによって、前記ボトムカバー２０と前記パネルガイドモールド１０が一体に形成されて結合されることで、狭い幅のベゼルを有しながらも、剛性と構造的安全性を提供できる。
【００２２】
よって、本発明によるバックライトユニットは、幅が細いベゼルを具現しながらも構造的に十分な剛性を提供することができる。一例として、４７インチ又は５５インチ以上の大型映像表示パネルが適用される場合にも、７mm程度の細いベゼル幅tを持ちながらも構造的に剛性が確保されたバックライトユニットを提供することができる。このように、幅が細いベゼルを具現するために、本発明による前記ボトムカバー２０の前記第１側壁２１及び前記第２側壁２３は、基本的に斜面Ｌ字状に折曲することによって形成することができる。従来のＵ字状の折曲に比べて細い幅のベゼルを具現することができる。
【００２３】
図３及び図４を参照して前記パネルガイドモールド１０と前記ボトムカバー２０の結合構造を詳しく説明する。図３に示すように、前記第１モールド部１１と前記第１側壁２１が相互結合され、前記パネルガイドモールド１０と前記ボトムカバー２０間の結合力を向上させる。例えば、これは前記溝１５と前記突出部２５によって具現することができる。上述されたように、前記溝１５は前記第１モールド部１１の少なくとも１つに形成され、前記突出部２５は前記溝１５の位置に対応して前記第１側壁２１に形成される。前記パネルガイドモールド１０と前記ボトムカバー２０が結合されると、前記突出部２５は前記溝１５を通過することで前記第１モールド部１１と前記第１側壁２１はフック状に結合される。よって、本発明のバックライトユニットの剛性と構造的安全性が更に向上される。図１ないし図３では、前記溝１５と前記突出部２５は四角形状に図示されているが、本発明の思想はこれに限定されない。
【００２４】
図４に示すように、前記パネルガイドモールド１０のそれぞれの前記第２モールド部１３の一部分は、前記ボトムカバー２０の突出された前記第２側壁２３の後方に形成された内側空間に整列されて、すなわち位置合わせされて挿入される。このように、前記パネルガイドモールド１０と前記ボトムカバー２０が結合されることで、本発明のバックライトユニットは更なる剛性と構造的安全性が確保される。
【００２５】
以上のように、本発明によるバックライトユニットによれば、狭い空間において相互の結合性、組立性、剛性、光学的安全性を全部確保することができる機構的に安定した構造物を提供することができる。
【００２６】
本発明によれば、従来のバックライトユニットの構造とは違い、トップケースを適用しないこともできる。即ち、本発明ではトップケースを無くし、前記パネルガイドモールド１０と前記ボトムカバー２０のみでバックライトユニットのフレームを提供することができる。これは、上述されたように、前記パネルガイドモールド１０と前記ボトムカバー２０の階段形状またはジグザグ構造及び結合によって、幅が細いベゼルにおいても十分な構造的剛性を提供できることになる。
【００２７】
実施例で提示されているような構造を有するバックライトユニットが提供される場合には、映像表示装置の製造工程及び組立工程に変化が生じる。従来、映像表示装置の製造工程では、バックライトユニットを組み立てる第１工程と、バックライトユニットと映像表示パネルを組み立てる第２工程と、完成品の映像表示装置を組み立てる第３工程が段階的に行われる。しかし、本発明によるバックライトユニットを含む映像表示装置の製造工程では、バックライトユニットと映像表示パネルを組み立てる第２工程を省略することができる。即ち、本発明によるバックライトユニットの上に映像表示パネルを配置し、固定部を用いて前記バックライトユニットと映像表示パネルを直接固定することで、完成品の映像表示装置を組み立てる工程を直接行うことができる。
【００２８】
図５及び図６を参照して本発明の他の実施例を説明する。説明されているように、例えば、固定部５０によって前記バックライトユニットと前記映像表示パネル４０を直接固定させることができる。図５及び図６に例示的に示すように、実施例による前記固定部５０は、前記映像表示パネル４０の上部縁部と前記バックライトユニットの側壁をカバーするように配置することができる。実施例による固定部５０は、前記バックライトユニットの前記パネルガイドモールド１０に結合される。例えば、前記固定部５０は、前記パネルガイドモールド１０に形成された前記ネジホール１７にネジにより固定される。前記固定部５０は完成品の映像表示装置における別途の構成要素として、既存のバックライトユニットのトップケースとは区別される構成要素である。よって、本発明の他の実施例によれば、映像表示装置はＬＣＤのような映像表示パネル４０と、固定部５０と、バックライトユニットを含む。バックライトユニットは前述のパネルガイドモールド１０、ボトムカバー２０、光供給部３０を含むことができる。
【００２９】
上述のように、本発明によるバックライトユニット及びこれを含む映像表示装置によれば、構造的に剛性が確保された幅が細いベゼルのバックライトユニット及び映像表示装置を具現することができる。また、本発明によるバックライトユニット及びこれを含む映像表示装置によれば、既存の製造工程より工程を単純化させることで、製造コストを節減し、生産性を向上させることができる。
【００３０】
以上、本発明を実施例を中心に説明したが、これらの実施例は本発明を限定するものではない。本発明の精神と範囲を離脱することなく、多様な変形と応用が可能であることは、当業者によって明らかである。例えば、本発明の実施例に具体的に示された各構成要素は変形して実施することができるものであり、このような変形と応用に係る差異点は、添付の特許請求の範囲で規定する本発明の範囲に含まれるものと解釈されるべきである。
【図１】
0005623117.tif 000002
【図２】
0005623117.tif 000003
【図３】
0005623117.tif 000004
【図４】
0005623117.tif 000005
【図５】
0005623117.tif 000006
【図６】
0005623117.tif 000007